(57)【要約】【課題】卵パックに入った卵を冷蔵庫などのトレイに移し変える場合、卵パックとは別に卵移し器を用意しなければならなかった。【解決手段】卵１の上部１ａと下部１ｂをそれぞれ収容する上側ケーシング２と下側ケーシング３とを設け、この下側ケーシング３を上側ケーシング２から切り離し可能に設け、この上側ケーシング２と下側ケーシング３との間に卵を保持する保持部材たる中間ケーシング４を設ける。そしてこの中間ケーシング４に引抜き部材５を付設し、この引抜き部材５に卵１の保持の一部を負担させると共に、引抜き部材５を取り外したときには前記中間ケーシング４による卵保持が解除されて卵が一斉に落下するように該中間ケーシング４を構成する。【選択図】  図１
2007008573.tif 000002
【特許請求の範囲】
【請求項１】
卵の上部と下部をそれぞれ収容する上側ケーシングと下側ケーシングとを設け、この下側ケーシングを上側ケーシングから切り離し可能に設け、この上側ケーシングと下側ケーシングとの間に卵を保持する保持部材を設けると共に、この保持部材に卵の保持を解除する手段を設けて保持を解除したときに卵が一斉に落下するように保持部材を構成してなる、卵移し機能を備えた卵パック。
【請求項２】
卵の上部と下部をそれぞれ収容する上側ケーシングと下側ケーシングとを設け、この下側ケーシングを上側ケーシングから切り離し可能に設け、この上側ケーシングと下側ケーシングとの間に卵を保持する保持部材を設け、保持部材に引抜き部材を付設し、この引抜き部材に卵の保持の一部を負担させると共に、引抜き部材を取り外したときには前記保持部材による卵保持が解除されて卵が一斉に落下するように該保持部材を構成してなる、卵移し機能を備えた卵パック。
【請求項３】
卵の上部と下部をそれぞれ収容する上側ケーシングと下側ケーシングとを設け、この下側ケーシングを上側ケーシングから切り離し可能に設け、この上側ケーシングと下側ケーシングとの間に中間ケーシングを上側ケーシングには一体接着可能に且つ下側ケーシングからは切り離し可能に介装すると共に、この中間ケーシングには卵を入れて保持するための円形孔を設ける一方、この円形孔の一部を塞いで円形孔を狭める引抜き部材を前記中間ケーシングに沿って取り外し可能に設け、この引抜き部材を取り外したときには前記中間ケーシングの円形孔が変形拡大して卵が一斉に落下するように前記中間ケーシングを構成してなる、卵移し機能を備えた卵パック。
【発明の詳細な説明】
【技術分野】
【０００１】
本発明は、卵入りのパックから卵を冷蔵庫等の卵トレイに一度に移し変えることができる卵パックに関する。
【背景技術】
【０００２】
従来、市販されている卵パックの卵を冷蔵庫の卵トレイに入れる時には、パックを開いた状態で、卵を一つ一つパックから取り出して卵トレイの載置開口に入れて乗せていた。
しかし、卵を１個ずつトレイに置くのは手間で、煩わしいうえ、卵を１個ずつ冷蔵庫に入れるために冷蔵庫の扉を長時間開放したままの状態にしておく必要があった。また、卵を移し変える時に直接手で卵に触れるため雑菌が卵の殻に付着するおそれがあり不衛生であった。
【０００３】
そこで、パックに入っている卵を一度に全部、短時間でトレイに移し変えることができる卵移し器が提案されている（例えば特許文献１参照）。
【０００４】
図５（ａ）に示すように、特許文献１に記載の卵移し器５０は、卵が通る正円形の穴が開いた取手５１のついた本体５２と、この本体５２の上に乗せる半円形と円形の穴を有する部材５３とを備えており、部材５３の中央には本体の取手５１側に挿通した引っ張り金具５４を有する。卵の移し変えに際しては、図５（ｂ）に示すように、卵パック５５のふたを開け、取手を片手５６で掴んで本体５２を卵５８の上からかぶせ、もう一方の手５７で下から押えた状態で上下をひっくり返し、卵をパック５５から本体５２へ移し変える（本体の円形穴は部材により楕円形穴に変わっているのでここに卵が乗る）。そして図示していないが、冷蔵庫の扉を開けて卵トレイの上に持っていき、そこで引っ張り金具５４を引くことで、本体５２の楕円形穴を正円形穴に変化させると、その中を卵が通過して一度に全部の卵がトレイに移る。
【特許文献１】特開平１１−８９７３２号公報
【発明の開示】
【発明が解決しようとする課題】
【０００５】
上記特許文献１の卵移し器では、卵パックに入っている卵を本体へ移し変えるときに、卵パックを片手で押さえたまま上下にひっくり返すという動作を必要としており、そのときの動作を誤ったり、押さえ方が悪ければ卵が落下するおそれがある。
【０００６】
また、卵パックとは別に卵移し器という特別の器具（本体、部材、引張り金具、ばね、等からなる）を用意しなければならない。
【０００７】
本発明は、卵パック自体に工夫を凝らして、卵移し器などの特別の器具を用いなくても、冷蔵庫などのトレイに一度に卵を移し変えできる卵パックを提供することを目的とする。
【課題を解決するための手段】
【０００８】
上記課題を解決するため、本発明の卵移し機能を備えた卵パックは、卵の上部と下部をそれぞれ収容する上側ケーシングと下側ケーシングとを設け、この下側ケーシングを上側ケーシングから切り離し可能に設け、この上側ケーシングと下側ケーシングとの間に卵を保持する保持部材を設けると共に、この保持部材に卵の保持を解除する手段を設けて保持を解除したときに卵が一斉に落下するように該保持部材を構成してなる。
【０００９】
かかる構成によれば、卵は保持部材に保持されて収容され、この卵保持状態のまま下側ケーシングを取り外して保持部材に設けられた卵の保持を解除する手段を働かせれば、卵は一斉に下方に落下して例えば冷蔵庫のトレイ上に収められる。
【００１０】
また、卵の上部と下部をそれぞれ収容する上側ケーシングと下側ケーシングとを設け、この下側ケーシングを上側ケーシングから切り離し可能に設け、この上側ケーシングと下側ケーシングとの間に卵を保持する保持部材を設け、この保持部材に引抜き部材を付設し、この引抜き部材に卵の保持の一部を負担させると共に、この引抜き部材を取り外したときには前記保持部材による卵保持が解除されて卵が一斉に落下するように該保持部材を構成してなる卵移し機能を備えた卵パックである。
【００１１】
かかる構成によれば、卵は保持部材と引抜き部材とに保持されて収容され、この卵保持状態のまま下側ケーシングを取り外して引抜き部材を取り外せば、卵の保持が解除されて、卵は一斉に下方に落下して例えば冷蔵庫のトレイ上に収められる。
【００１２】
また、卵の上部と下部をそれぞれ収容する上側ケーシングと下側ケーシングとを設け、この下側ケーシングを上側ケーシングから切り離し可能に設け、この上側ケーシングと下側ケーシングとの間に中間ケーシングを上側ケーシングには一体接着可能に且つ下側ケーシングからは切り離し可能に介装すると共に、この中間ケーシングには卵を入れて保持するための円形孔を設ける一方、この円形孔の一部を塞いで円形孔を狭める引抜き部材を前記中間ケーシングに沿って取り外し可能に設け、この引抜き部材を取り外したときには前記中間ケーシングの円形孔が変形拡大して卵が一斉に落下するように前記中間ケーシングを構成してなる卵移し機能を備えた卵パックである。
【００１３】
かかる構成によれば、卵は中間ケーシングと引抜き部材とに保持されて収容され、この卵保持状態のまま下側ケーシングを取り外して引抜き部材を取り外せば、中間ケーシングの円形孔が変形拡大して卵の保持が解除されて、卵は一斉に下方に落下して例えば冷蔵庫のトレイ上に収められる。
【発明の効果】
【００１４】
本発明によれば、卵パックそのものに卵移し機能を有しているから、卵パック内に収容されている卵を特別の器具を用いることなく、かつ、卵に手を触れることなく一度にしかも安全に（ひっくり返す動作がないので卵を移し変えの過程で落とすおそれもなく）トレイに移し変えることができる。
【発明を実施するための最良の形態】
【００１５】
以下、本発明の一実施形態を図面を参照しつつ説明する。
【００１６】
図１は、本発明に係る、卵を一度にトレイに移しかえる機能を備えた卵パック構成部品の分解斜視図である（説明のために卵の図も併記）。卵１は、上部１ａが球体状をしており、これに続く下部１ｂは楕円体状をしている。しかも球体状上部１ａの径ｄ１の方が楕円体状下部１ｂの径ｄ２より大きい。一般に、卵は重量をベースにＳ，Ｍ、Ｌ，ＬＬサイズに分けられて販売されているが、同サイズの卵でもその形や径がさまざまである。
【００１７】
この卵パックＰは、卵１の球体状上部１ａを収容する上側ケーシング２と、卵１の楕円体状下部１ｂを収容する下側ケーシング３と、この上側と下側のケーシング２，３との間に設けられる卵の保持部材である、平板状の中間ケーシング４と、この中間ケーシング４の長手方向に装着される卵の保持を解除するための手段である、帯状の引抜き部材５とからなる。上側ケーシング２、中間ケーシング４、下側ケーシング３、引き抜き部材５は、市販の卵パックと通常同じ材質の合成樹脂で形成されてもよいし、その役割に応じて適切な材質の樹脂を用いるとよい。
【００１８】
上側ケーシング２は、平面的に見ると略長方形をしており、全周に亘ってその周縁に一定の幅の平坦な鍔部６が形成されている。この平坦な鍔部６には下方に凸の幅の細い係合突起（平面から見ると溝）７が短辺８の中央部分を除いて両側にコの字形に形成されている。この係合突起７は、後述の図２（ｃ）に示すように、中間ケーシング４の係合溝や下側ケーシング３の係合溝に係合して３者が一体化される。鍔部６の内側には卵１の球体状上部１ａを収容するために略円錐状に突起した収容山部９が２つ一対で長辺１０の方向に５列ほど形成されている。
【００１９】
中間ケーシング４は、平板状で略長方形をしており、その周縁部には、一定幅の鍔部１１が形成されている。そして短辺１２の中央部には矩形状の張出し片１４が外側方向に鍔部１１に連続して突出形成されている。鍔部１１には、上記上側ケーシング２の係合突起７が嵌入する係合溝１３が短辺１１の中央部を除いて両側にコの字形に形成されている。また、左右の張出し片１４のそれぞれには後述する帯状引抜き部材５を係止するための柱状の係止突起１４ａが設けてある。張出し片１４を挟んだ左右の鍔部１１には長円状の窪み（下方に突出した長円突起）１５が設けられている。この長円突起１５は後述する下側ケーシング３の長円溝と係合するものである。
【００２０】
中間ケーシングの上記係合溝１３に囲まれた中央部分には、図２（ａ）（ｂ）にも示すように、２つで一対の円形孔１６が少し間隔をおいて短辺方向に並設されている。２つの円形孔１６同士を中央位置で短辺方向に連通する切り欠き１７が設けられており、この切り欠き１７を挟んで両側に略山形の隔離片１８が対峙形成されている。隔離片１８同士は切り欠き１７によって非連続であるため円形孔１６の縁に卵が乗ったときには卵の自重で隔離片１８の先端が撓んで円形孔１６が変形拡大するようになっている。
【００２１】
上記形態の一対の円形孔１６が中間ケーシング４の長辺方向に５列（５列に限定されない）設けられている。
【００２２】
上記隔離片１８の基部、即ち、隣接する４つの円形孔１６の中央部分には、短辺方向に細長く延びる互いに平行な２つで一対の挿通孔１９が長辺方向に設けられている。これらの挿通孔１９は、中間ケーシング４の挿通孔１９を設ける個所をプレス成形によってブリッジ状に上方に突出させることによって形成される。これにより、後述する図２（ｂ）に示すように、帯状引き抜き部材５を折り曲げることなく、真っ直ぐに（平坦のままで）挿通孔１９を通過させることができる。また、中間ケーシング４の両端に位置する隔離片１８ｅの基部にも一対の挿通孔１９ｅが、上記張出し片１４に設けた係止突起１４ａの内側に設けられている。これら挿通孔１９，１９ｅにも上記帯状引抜き部材５が挿通する。
【００２３】
引抜き部材５は、上記隔離片１８の先端部の幅より大きい細長い長方形をした帯状に形成されている。引抜き部材５の両端部には中間ケーシング４の係合突起１４ａが嵌入するための矩形状の係止孔２０が設けられている。
【００２４】
下側ケーシング３は、上側ケーシング２や中間ケーシング４の大きさとほぼ同じ長方形に形成されており、その周縁には上側ケーシング２や中間ケーシング４と同様に、ほぼ全周に亘ってその周縁部に一定幅の鍔部２１と、この鍔部２１に沿って係合溝２２とが形成されている。長辺の鍔部２１の幅は、上側ケーシング２や中間ケーシング４のそれとは小さく形成されており、上側ケーシング２と中間ケーシング４の長辺の鍔部同士が上側ケーシング３の鍔部２１の外側（図２（ａ）のＹ部分）で熱融着できるようにして、これらと一緒に融着されないようになっている。また、短辺側の鍔部２１には係合溝２２の外側に長円溝２３が形成されている。鍔部２１に囲まれた中央部分は下方に山形に突起して卵の楕円体状下部１ｂが収容される略円錐状の窪み部（谷部）２４が列設されている。
【００２５】
図２（ａ）は図１の構成部材からなる卵パックに卵を収容した状態のものを一部切り欠いて示した平面図である。図２（ｂ）は、その一部を取り出して中間ケーシング４に設けた挿通孔１９に帯状引抜き部材５が挿通した状態を示した斜視図である。図２（ｃ）は上側ケーシング２と中間ケーシング４と下側ケーシング３との係合部分の拡大図、即ち、図２（ａ）におけるＸ−Ｘ矢視断面の拡大図である。
【００２６】
図２（ｂ）に示すように引抜き部材５は、切り欠き１７を隔てて向かい合っている隔離片１８の上方を覆い被さるように掛け渡され、更に近接する挿通孔１９、１９を真っ直ぐ平坦のままで挿通される。そして、両端の挿通孔１９ｅから出た引抜き部材５は、中間ケーシング４の上面にあって、引抜き部材５の端部に設けた係止孔２０が中間ケーシングの張り出し片１４の係止突起１４ａに嵌合係止することによって、引抜き部材５は平坦状の中間ケーシング４に沿って緊張した状態にて保持されるようになっている。このとき、図２（ａ）（ｂ）からも判るように、引抜き部材５は隔離片１８の左右両側から円形孔１６側に張り出して、その張り出し部分５ａが円形孔１６の一部を塞ぐようになっている。
【００２７】
上記のような構成部品から構成される卵パックＰには卵１が以下のように収容保持される。すなわち、図２（ａ）（ｂ）に示すように、卵１を円形孔１６に入れたときには卵１の一部の周縁が引抜き部材５の張り出し部分５ａに乗って支持される（図４（ｂ）参照）と共に、その以外の卵の周縁部分は張り出し部分５ａにより狭くなった円形孔１６の縁に支持されることで卵がパック内に収容保持できるようになっている。このように、引抜き部材５によって卵の保持の一部が負担されている。引抜き部材５の張り出し部分５ａにより、卵の径が区々変わっても円形孔１６縁に確実に保持され得る。
【００２８】
一方、このように卵を収容した状態において、引抜き部材５を中間ケーシング４から取り除いたときには（係止突起１４から係止孔２０を離脱して左右いずれかの方向に引抜き部材５を引き抜くことにより取り除く）、卵の自重で隔離片１８が下方に撓んで垂れることで円形孔１６が変形拡大して、卵は円形孔１６を通過して下方へ落下するようになっている。このように上部が球体状で径が大きくなっている卵でも引抜き部材５を取り除くことにより卵を下方へ落下させることができる。
【００２９】
図２（ｃ）に示すように、中間ケーシング４の長円突起１５が下側ケーシング３の長円溝２３に嵌って位置決めされ、同時に中間ケーシング４の（下方に突起した）係合溝１３が下側ケーシング３の係合溝２２に嵌合することにより、上側ケーシング２、中間ケーシング４および下側ケーシング３は一体化される。上側ケーシング２と中間ケーシング４とは係合突起７が係合溝１３に嵌入することで両者が位置決めされると同時に係合一体化される。両者は卵を収容した後に短辺の中央部（即ち、引抜き部材５が通過する部分）は除いて長辺の鍔部６，１１同士が熱融着などの方法で結合されて卵パックＰが形成されるようになっている。
【００３０】
図３（ａ）〜(d)は、上記卵パックの中の卵を一度に冷蔵庫などのトレイに移し変える場合の要領を経時的に説明したものである。図４（ａ）は上側ケーシング２と一体となっている中間ケーシング４を卵トレイ３０上に乗せたときの拡大正面図、図４（ｂ）は同側面図である。
【００３１】
図３（ａ）：上記構成からなる卵パックＰの中に卵１が収容された状態を示す。まず、卵を卵パックに収容する手順について図１等を参照しつつ説明すると、引抜き部材５が予め装着されている中間ケーシング４を、下側ケーシング３に長円突起１５を長円溝２３と係合し、かつ、係合溝（突起）１３を係合溝２２に係合することにより両者を係着させる。そして、所定数の卵１を円形孔１６に入れて、円形孔１６の縁と引抜き部材５とで卵１を保持させる。引抜き部材５の張り出し部分５ａにより円形孔１６は小さくなっているから、卵１の径にバラツキがあっても確実に保持される。この後、上側ケーシング２を中間ケーシング４に互いの係合溝７，１３同士を係合させることによって、上側ケーシング２と中間ケーシング４と下側ケーシング３とを３者一体化する。そして上側ケーシング２と中間ケーシング４と長辺の鍔部１０，１１同士を熱融着して上側ケーシング２と中間ケーシング４とを一体結合する。このとき、下側ケーシング３を一緒に融着しないように、下側ケーシング３の鍔部２１の外側（図２（ａ）のＹ部分）で熱融着する。そのため、下側ケーシング３の鍔部２１は上側ケーシング２および中間ケーシング４の鍔部１０，１１よりもその幅が小さく形成されている。
【００３２】
図３（ｂ）：下側ケーシング３を、上側ケーシング２と一体となった中間ケーシング４から図２（ｃ）に示す係合状態を解いて切り離す。このとき各卵１は前述した状態にて保持され、卵１の下端部が中間ケーシング４から突き出た形になっている。このとき、中間ケーシング４の張出し片１４が持ち手の役割を果たし、左右の張出し片１４をそれぞれ手で持って卵の入った中間ケーシング４付き上側ケーシング２を所定の場所へ移動する。
【００３３】
図３（ｃ）および図４（ａ）（ｂ）：下側ケーシング３のない状態の上側ケーシング２の中に卵が収容されている状態のものを、左右の張出し片１４を手で掴んで冷蔵庫などの卵トレイ３０の上に持っていき、卵の１下部が卵トレイの孔の中に入るように上側ケーシング２をトレイ３０上に乗せる。その後、帯状引抜き部材５を、係止突起１４ａから外した後に片方側から徐々に矢印方向に引き抜いていく。
【００３４】
そうすると、前述したように、引抜き部材５が無くなることにより、卵１の自重によって中間ケーシング隔離片１８が下方に撓んで垂れて円形孔１６が変形拡大し、これによって各卵１は円形孔１６を通過して一斉に下方へ落下し、図３（ｄ）のように、卵１はトレイ３０に乗り移って収容される。この後に中間ケーシング４と一緒に上側ケーシング２が取り外される。
【００３５】
この取り外された中間ケーシング４付きの上側ケーシング２をひっくり返して、その山部を下側ケーシング４の谷部に嵌るように積み重ねると全体が嵩張らなくなるため、ゴミ処理が容易となる。市販の卵パックでは上側ケーシングと下側ケーシングとが一体になっているためこのようなコンパクト化はできない。
【００３６】
このように引抜き部材５を引き取ることにより一度に卵をトレイに移し変えることができ、一つ一つ卵を手で掴んで移し変える手間を省くことができる。手で卵を掴む必要がないので衛生的にも良い。このように、卵パック自体−＋に移し変え機能を持たせているから、特別な器具を用いることなく、しかも、移し変えの過程でひっくり返す動作もないので安全にトレイに移し変えることができる。
【産業上の利用可能性】
【００３７】
本発明は、卵パックに入った卵を、卵に手を触れることなく、一度にトレイなどに簡単に移し変えることができることから、業務用や家庭向けに販売されている卵パックに広く利用できる。
【図面の簡単な説明】
【００３８】
【図１】本発明に係る、卵を一度にトレイに移しかえる機能を備えた卵パック構成部品の分解斜視図である（説明のために卵の図も併記）。
【図２】（ａ）は図１の構成部材からなる卵パックに卵を収容した状態のものを一部切り欠いて示した平面図である。（ｂ）は、その一部を取り出して中間ケーシングに設けた挿通孔に帯状引抜き部材が挿通した状態を示した斜視図である。（ｃ）は上側ケーシングと中間ケーシングと下側ケーシングとの係合部分の拡大図、即ち、図２（ａ）におけるＸ−Ｘ矢視断面の拡大図である。
【図３】（ａ）〜(d)は、卵パックの中の卵を一度に冷蔵庫などのトレイに移し変える場合の要領を経時的に説明したものである。
【図４】（ａ）は上側ケーシングと一体となっている中間ケーシングを卵トレイ上に乗せたときの拡大正面図、（ｂ）は同側面図である。
【図５】従来の卵移し器を示し、（ａ）はその構成の斜視図、（ｂ）は卵を移し変える過程の斜視図である。
【符号の説明】
【００３９】
Ｐ  卵パック
１  卵
２  上側ケーシング
３  下側ケーシング
４  中間ケーシング
５  引抜き部材
６，１１，２１  鍔部
７，１３，２２  係合突起ないし溝
１６  円形孔
１７  切り欠き
１８  隔離片
１９  挿通孔
【図１】
2007008573.tif 000003
【図２】
2007008573.tif 000004
【図３】
2007008573.tif 000005
【図４】
2007008573.tif 000006
【図５】
2007008573.tif 000007